(57)【特許請求の範囲】
【請求項１】
現像剤像を記録シートに転写することにより、記録シートに画像を形成する電子写真方式の画像形成装置であって、
筐体に収納され、現像剤像を担持する感光体と、
前記感光体と対向する位置に配設されたベルトと、
前記筐体内に収納され、前記感光体を帯電させる帯電器と、
記録シートの搬送方向において前記感光体より搬送方向下流側に配設され、記録シートに転写された現像剤像を記録シートに定着させる定着器と、
前記筐体内の空気中の含まれるオゾンを減少させるオゾンフィルタと、
前記オゾンフィルタを通過した空気が通過する位置に配設され、前記筐体内の空気中の含まれる現像剤を除去する現像剤フィルタと、
前記筐体に設けられた排気口に向かって流れる気流を発生させるファンと、
前記筐体内を前記帯電器側と前記定着器側とに仕切るとともに、前記オゾンフィルタが配設された連通口が設けられた仕切り壁とを備え、
前記帯電器側の空気は、前記オゾンフィルタ及び前記現像剤フィルタを通過して前記排気口から前記筐体外に排出され、
さらに、前記定着器側の空気は、前記オゾンフィルタを通過することなく、前記現像剤フィルタを通過して前記排気口から前記筐体外に排出されることを特徴とする画像形成装置。
【請求項２】
前記ベルトは、記録シートを前記定着器側に搬送する搬送ベルトであることを特徴とする請求項１に記載の画像形成装置。
【請求項３】
前記オゾンフィルタ及び前記現像剤フィルタは、前記感光体の下端部より上方側に配設されており、
さらに、前記現像剤フィルタは、上方側に向かうほど、前記オゾンフィルタに近づくように前記オゾンフィルタに対して傾いていることを特徴とする請求項１ないし３のいずれか１つに記載の画像形成装置。
【請求項４】
前記感光体は、回転しながら現像剤像を転写するものであり、
さらに、前記感光体は、その回転軸と直交する方向に沿って複数配設されていることを特徴とする請求項１ないし３のいずれか１つに記載の画像形成装置。
【発明の詳細な説明】
【技術分野】
【０００１】
本発明は、電子写真方式の画像形成装置に関するものである。
【背景技術】
【０００２】
電子写真方式の画像形成装置では、感光体（感光ドラム）の表面を帯電器にて帯電させて現像剤像を感光体に担持させるので、感光体及び帯電器の周囲にはオゾンが発生してしまう。
【０００３】
また、感光体から記録用紙等の記録シートに転写された現像剤は、定着器により加熱されて記録シートに定着するまでの間は記録シートから剥離し易く、記録シートから剥離した現像剤は画像形成装置（筐体）内を浮遊してしまう。
【０００４】
ところで、画像形成装置には、筐体内の熱気を排出するためにファンが設けられているが、前述したように、筐体内にはオゾン及び現像剤が浮遊しているので、熱気と共にオゾン及び現像剤が筐体（画像形成装置）外に排出されてしまうおそれがある。
【０００５】
そこで、特許文献１に記載の発明では、オゾンを分解・吸着するオゾンフィルタ及び現像剤を除去する集塵フィルタを設け、熱気と共にオゾン及び現像剤が筐体（画像形成装置）外に排出されてしまうことを防止している。
【特許文献１】特開平８−２２０９５２号公報
【発明の開示】
【発明が解決しようとする課題】
【０００６】
ところで、オゾンは、空気中では不安定な分子であるので、時間が経過すると、酸素に分解（２Ｏ3→３Ｏ2）していく。一方、現像剤は、オゾンと異なり分解しないので、フィルタにて捕捉して空気中から除去する必要がある。
【０００７】
このため、帯電器の周囲を通過した空気が排気口に至るまでの時間が長くなるほど、排気口から筐体外に排出される空気中に含まれるオゾンが減少するものの、空気中に浮遊している現像剤は、集塵フィルタで捕捉する必要があるので、集塵フィルを通過する空気量（風量）が減少すると、これに呼応して集塵フィルタで捕捉できる現像剤量も低下していく。
【０００８】
そして、特許文献１に記載の発明は、集塵フィルタ及びオゾンフィルタを気流に対して直列に配設するとともに、排気口から排出される空気の全てが集塵フィルタ及びオゾンフィルタを通過するような構成としているので、気流がフィルタを通過する際の通風抵抗が大きくなり、気流の流速が低下して風量が小さくなる。
【０００９】
このため、特許文献１に記載の発明では、オゾンの排出量は小さくなるものの、捕捉可能な現像剤量が低下してしまうという問題がある。
本発明は、上記点に鑑み、オゾンの排出量は小さくしつつ、捕捉可能な現像剤量の低下を抑制することを目的とする。
【課題を解決するための手段】
【００１０】
本発明は、上記目的を達成するために、請求項１に記載の発明では、現像剤像を記録シートに転写することにより、記録シートに画像を形成する電子写真方式の画像形成装置であって、筐体（３）に収納され、現像剤像を担持する感光体（７１）と、筐体（３）内に収納され、感光体（７１）を帯電させる帯電器（７２）と、記録シートの搬送方向において感光体（７１）より搬送方向下流側に配設され、記録シートに転写された現像剤像を記録シートに定着させる定着器（８０）と、筐体（３）内の空気中の含まれるオゾンを減少させるオゾンフィルタ（１１０）と、オゾンフィルタ（１１０）を通過した空気が通過する位置に配設され、筐体（３）内の空気中の含まれる現像剤を除去する現像剤フィルタ（１１１）と、筐体（３）に設けられた排気口（３Ａ）に向かって流れる気流を発生させるファン（１２０）とを備え、帯電器（７２）の周囲を通過した空気は、オゾンフィルタ（１１０）及び現像剤フィルタ（１１１）を通過して排気口（３Ａ）から筐体（３）外に排出され、さらに、感光体（７１）と定着器（８０）との間を通過した空気は、オゾンフィルタ（１１０）を通過することなく、現像剤フィルタ（１１１）を通過して排気口（３Ａ）から筐体（３）外に排出されることを特徴とする。
【００１１】
これにより、請求項１に記載の発明では、帯電器（７２）の周囲を通過した空気は、オゾンフィルタ（１１０）及び現像剤フィルタ（１１１）を通過して排気口（３Ａ）から筐体（３）外に排出されるので、帯電器（７２）の周囲を通過したオゾンを多く含む気流の通風抵抗が大きくなり、帯電器（７２）の周囲を通過した空気が排気口に至るまでの時間が長くなる。
【００１２】
このため、オゾンフィルタ（１１０）によるオゾンの分解・吸着に加えて、時間経過によるオゾンの分解が進行するので、排気口（３Ａ）から排出されるオゾンの量を低減することが可能となる。
【００１３】
また、感光体（７１）と定着器（８０）との間を通過した空気は、オゾンフィルタ（１１０）を通過することなく、現像剤フィルタ（１１１）を通過して排気口（３Ａ）から筐体（３）外に排出されるので、現像剤を多く含む気流の通風抵抗が小さくなり、現像剤フィルタ（１１１）で捕捉できる現像剤量を増大させることができる。
【００１４】
以上に説明したように、請求項１に記載の発明では、オゾンの排出量は小さくしつつ、捕捉可能な現像剤量の低下を抑制することができる。
また、請求項１に記載の発明では、筐体（３）内を帯電器（７２）側と定着器（８０）側とに仕切る仕切り壁（１０１）が設けられていることも特徴とする。
【００１５】
これにより、請求項１に記載の発明では、帯電器（７２）の周囲を通過したオゾンを多く含む気流と、感光体（７１）と定着器（８０）との間を通過した現像剤を多く含む気流とを分離できるので、効果的にオゾンの排出量は小さくしつつ、捕捉可能な現像剤量の低下を抑制することができる。
【００１６】
さらに、請求項１に記載の発明では、感光体（７１）と対向する位置に配設されたベルトを備え、帯電器（７２）側の空間は、ベルト（３３）及び仕切り壁（１０１）によって、定着器（８０）側の空間と仕切られていることも特徴とする。
【００１７】
これにより、請求項１に記載の発明では、帯電器（７２）の周囲を通過したオゾンを多く含む気流と、感光体（７１）と定着器（８０）との間を通過した現像剤を多く含む気流とを確実に分離できる。
なお、請求項２に記載の発明では、前記ベルト（３３）は、記録シートを定着器（８０）側に搬送する搬送ベルトであることを特徴とする。
【００１８】
請求項３に記載の発明では、オゾンフィルタ（１１０）及び現像剤フィルタ（１１１）は、感光体（７１）の下端部より上方側に配設されており、さらに、現像剤フィルタ（１１１）は、上方側に向かうほど、オゾンフィルタ（１１０）に近づくようにオゾンフィルタ（１１０）に対して傾いていることを特徴とする。
【００１９】
これにより、請求項３に記載の発明では、感光体（７１）と定着器（８０）との間を通過した現像剤を多く含む気流を、確実に現像剤フィルタ（１１１）に導入することができるので、現像剤を確実に捕捉することができる。
【００２０】
なお、請求項４に記載の発明では、感光体（７１）は、回転しながら現像剤像を転写するものであり、さらに、感光体（７１）は、その回転軸と直交する方向に沿って複数配設されていることを特徴としている。
【００２１】
因みに、上記各手段等の括弧内の符号は、後述する実施形態に記載の具体的手段等との対応関係を示す一例であり、本発明は上記各手段等の括弧内の符号に示された具体的手段に限定されるものではない。
【発明を実施するための最良の形態】
【００２２】
本実施形態は、本発明に係る画像形成装置をコンピュータに接続されて使用されるレーザプリンタに適用したものであり、以下、本実施形態に係るレーザプリンタを図面と共に説明する。
【００２３】
１．図面の説明
図１は本実施形態に係る画像形成装置１の要部を示す側断面図であり、図２は上方側から筐体３内を見たときの排気ダクト１００及びドロワーユニット７０等の配置関係を示す図である。なお、図１中の破線の矢印は、気流を示している。
【００２４】
２．画像形成装置の構造
図１に示す本実施形態に係る画像形成装置１は、紙面上側を重力方向上方側として設置され、通常、紙面右側を前側として使用され、画像形成装置１の装置本体をなす筐体３の上面側には、印刷を終えて筐体３から排出される用紙やＯＨＰシート等（以下、単に用紙という。）が載置される排紙トレイ５が設けられている。
【００２５】
そして、筐体３の内側には、金属又は樹脂等からなるフレーム部材（図示せず。）が設けられており、後述するドロワーユニット７０や定着器８０等は、筐体３の内側に設けられたフレーム部材に着脱可能に組み付けられている。
【００２６】
また、画像形成ユニット１０は筐体３内に収納されて用紙に画像を形成する画像形成手段であり、フィーダ部２０は、画像形成ユニット１０に用紙を供給する搬送手段の一部を構成するものであり、搬送ユニット３０は、画像形成ユニット１０を構成する４つの現像カートリッジ７０Ｋ、７０Ｙ、７０Ｍ、７０Ｃに用紙を搬送する搬送手段である。
【００２７】
なお、画像形成ユニット１０にて画像形成が終了した用紙は、中間搬送ローラ９０及び排出シュート（図示せず。）にてその搬送方向が上方側に略１８０°転向された後、排出ローラ９１により排出部７から排紙トレイ５に排出される。
【００２８】
２．１．フィーダ部
フィーダ部２０は、筐体３の最下部に収納された給紙トレイ２１、給紙トレイ２１の前端部上方に設けられて給紙トレイ２１に載置された用紙を画像形成ユニット１０に給紙（搬送）する給紙ローラ２２、及び用紙に所定の搬送抵抗を与えることにより給紙ローラ２２により給紙される用紙を１枚毎に分離する分離パッド２３等を有して構成されている。
【００２９】
そして、給紙トレイ２１に載置されている用紙は、筐体３内の前方側にてＵターンするようにして、筐体３内の略中央部に配設された画像形成ユニット１０に搬送される。
２．２．搬送ユニット
搬送ユニット３０は、画像形成ユニット１０の作動と連動して回転する駆動ローラ３１、駆動ローラ３１と離隔した位置に回転可能に配設された従動ローラ３２、及び駆動ローラ３１と従動ローラ３２と間に巻き付けられた搬送ベルト３３等から構成されている。
【００３０】
なお、駆動ローラ３１は、その回転軸の位置が固定された状態で搬送ユニット３０のフレーム（図示せず。）に回転可能に支持され、一方、従動ローラ３２は、その回転軸が変位可能にフレームに回転可能に支持されている。
【００３１】
そして、従動ローラ３２は、バネ等の弾性手段（図示せず。）により、直接的又は間接的に駆動ローラ３１から離隔する向きに押圧され、搬送ベルト３３に所定の張力を付与する。
【００３２】
２．２．画像形成ユニット
本実施形態に係る画像形成ユニット１０はカラー印刷が可能な、いわゆるダイレクトタンデム方式のものであり、具体的には、スキャナユニット６０、ドロワーユニット７０及び定着器８０等を有して構成されている。
【００３３】
２．２．１．スキャナユニット
スキャナユニット６０は、筐体３内の上部に設けられて４つの現像カートリッジ７０Ｋ、７０Ｙ、７０Ｍ、７０Ｃそれぞれに設けられた感光ドラム７１を露光し、その表面に静電潜像を形成する露光器であり、具体的には、レーザ光源、ポリゴンミラー、ｆθレンズ及び反射鏡等から構成されている。
【００３４】
そして、画像データに基づいてレーザ光源から発光されるレーザビームは、ポリゴンミラーで偏向されて、ｆθレンズを通過した後、反射鏡によって光路が折り返された後、反射鏡によってさらに光路が下方に屈曲されることにより、感光ドラム７１の表面上に照射され、静電潜像が形成される。
【００３５】
２．２．２．ドロワーユニット
ドロワーユニット７０は、４つの現像カートリッジ７０Ｋ、７０Ｙ、７０Ｍ、７０Ｃ、及びこれらを収納するスライダケーシング７５等により構成されており、スライダケーシング７５は、筐体３（フレーム部材）に設けられたレール（図示せず。）により筐体３内に支持された状態で、水平方向（本実施形態では、前後方向）に移動可能に筐体３に組み付けられている。
【００３６】
なお、本実施形態では、用紙の搬送方向上流側からブラック、イエロー、マゼンタ、シアンの４色の現像剤（トナー）に対応した４つの現像カートリッジ７０Ｋ、７０Ｙ、７０Ｍ、７０Ｃが、用紙の搬送方向に沿って直列に並んで配設され、各色毎の現像剤像を用紙に直接転写する。
【００３７】
ところで、４つの現像カートリッジ７０Ｋ、７０Ｙ、７０Ｍ、７０Ｃは現像剤の色が異なるのみで、その他は同一であるので、以下、現像カートリッジ７０Ｃを例にその構造を説明する。
【００３８】
現像カートリッジ７０Ｃは、スキャナユニット６０の下方側において着脱可能に筐体３内に配設されており、この現像カートリッジ７０Ｃは、感光ドラム７１、帯電器７２、及び現像剤収容部７４等を有して構成されている。
【００３９】
そして、感光ドラム７１は、用紙に転写される画像を担持する画像担持手段をなすもので、最表層がポリカーボネート等からなる正帯電性の感光層により形成される円筒状の感光体である。
【００４０】
帯電器７２は、感光ドラム７１の表面を帯電させる帯電手段をなすもので、感光ドラム７１の後側斜め上方において、感光ドラム７１と接触しないように所定間隔を有して感光ドラム７１と対向配設されている。
【００４１】
なお、本実施形態に係る帯電器７２は、タングステン等からなる帯電用ワイヤからコロナ放電を行うことにより感光ドラム７１の表面に略均一に正電荷を帯電させるスコロトロン型帯電器を採用している。
【００４２】
転写ローラ７３は、搬送されてくる用紙を挟んで感光ドラム７１と対向配置された状態で回転しながら、感光ドラム７１に帯電した電荷と逆極性の電圧（本実施形態では、負電圧）を印刷面と反対側から用紙に印加（作用）させることにより、感光ドラム７１の表面に付着した現像剤を用紙の印刷面に転写させる転写手段をなすものである。
【００４３】
なお、各現像カートリッジ７０Ｋ、７０Ｙ、７０Ｍ、７０Ｃの感光ドラム７１及び転写ローラ７３は、その回転軸の軸方向が、用紙の搬送方向及び搬送されてくる用紙の厚み方向と直交する方向（図１の紙面と直交する方向）に一致しているため、本実施形態では、各感光ドラム７１及び転写ローラ７３は、その回転軸と直交する方向に沿って配設された構成となっている。
【００４４】
現像剤収容部７４は、現像剤が収容された現像剤収容室７４Ａ、現像剤を感光ドラム７１に供給する現像剤供給ローラ７４Ｂ及び現像ローラ７４Ｃ等を有して構成されている。
そして、現像剤収容室７４Ａに収容されている現像剤は、現像剤供給ローラ７４Ｂの回転によって現像ローラ７４Ｃ側に供給され、さらに、現像ローラ７４Ｃ側に供給された現像剤は、現像ローラ７４Ｃの表面に担持されるとともに、層厚規制ブレード７４Ｄにより担持された現像剤の厚みが所定の厚みにて一定（均一）となるよう調整された後、スキャナユニット６０にて露光された感光ドラム７１の表面に供給される。
【００４５】
２．２．３．定着器
定着器８０は、用紙の搬送方向において感光ドラム７１（ドロワーユニット７０）より搬送方向下流側に配設され、用紙に転写された現像剤を加熱溶融させて用紙に定着させるものであり、この定着器８０は、前記したフレーム部材に着脱可能に組み付けられている。
【００４６】
具体的には、定着器８０は、用紙の印刷面側に配設されて現像剤を加熱しながら用紙に搬送力を付与する加熱ローラ８１、及び用紙を挟んで加熱ローラ８１と反対側に配設されて用紙を加熱ローラ８１側に押圧する加圧ローラ８２等を有して構成されている。
【００４７】
２．３．排気ダクト
筐体３の上部側面には、図１に示すように、筐体３の内側と外側とを連通させて筐体３内の空気を筐体３外に排出する排気口３Ａが設けられており、この排気口３Ａには、図２に示すように、筐体３の幅方向（左右方向）に延びて筐体３内の空気を排気口３Ａに導く排気ダクト１００が接続されている。
【００４８】
この排気ダクト１００は、図１に示すように、筐体３内を帯電器７２（画像形成ユニット１０）側の空間３Ｂ（以下、この空間３Ｂをユニット側空間３Ｂという。）と定着器８０側の空間３Ｃ（以下、この空間３Ｃを定着器側空間３Ｃという。）とに仕切る仕切り壁１０１、及び後述する現像剤フィルタ（トナーフィルタ）１１１を通過した空気を排気口３Ａに導く通路を構成するダクト部１０２を有して構成されている。
【００４９】
すなわち、仕切り壁１０１の下端側は、搬送ベルト３３（駆動ローラ３１）に近接した位置まで延び、一方、仕切り壁１０１の水平方向は、図２に示すように筐体３の幅方向（画像形成装置１の左右方向）略全域に拡がっている。このため、ユニット側空間３Ｂは、搬送ベルト３３及び仕切り壁１０１によって定着器側空間３Ｃと仕切られた状態となる。
【００５０】
また、仕切り壁１０１及びダクト部１０２は、筐体３の幅方向（左右方向）全域に拡がるように構成されており、ダクト部１０２の幅方向一端側には、排気口３Ａに向けて流れる気流を発生させる排気ファン１２０が配設されている。なお、本実施形態では、排気ファン１２０は、空気が回転軸方向を通り抜ける軸流ファン（ＪＩＳ  Ｂ  ０１３２番号１０１２等参照）にて構成されている。
【００５１】
そして、仕切り壁１０１の幅方向一端側、つまり排気ファン１２０側であって、感光ドラム７１の下端（搬送ベルト３３）より上方側には、図１に示すように、排気ダクト１００内とユニット側空間３Ｂとを連通させる連通口（図示せず。）が設けられているとともに、この連通口には、筐体３内の空気中の含まれるオゾンを減少させるオゾンフィルタ１１０が配設されている。
【００５２】
なお、本実施形態に係るオゾンフィルタ１１０は、オゾンの分解を促進するとともに、オゾンを吸着することにより、筐体３内の空気中の含まれるオゾンを減少させる金属系の触媒が担持添着されたフィルタである。
【００５３】
また、ダクト部１０２は、仕切り壁１０１から定着器８０側（後方側）に離隔した位置に設けられているとともに、ダクト部１０２のうちオゾンフィルタ１１０に面する側の壁部であって、感光ドラム７１の下端（搬送ベルト３３）位置より上方側には、ダクト部１０２の内外を連通させる連通口（図示せず。）が設けられており、この連通口には、筐体３内の空気中の含まれる現像剤を捕捉除去する現像剤フィルタ１１１が設けられている。
【００５４】
このため、現像剤フィルタ１１１は、オゾンフィルタ１１０を通過する気流の下流側に位置することとなるため、図１の破線矢印に示すように、オゾンフィルタ１１０を通過した空気の殆ど全ては、現像剤フィルタ１１１を通過してダクト部１０２を経由して排気口３Ａから筐体３外に排出される。
【００５５】
また、現像剤フィルタ１１１は、上方側に向かうほど、オゾンフィルタ１１０に近づくようにオゾンフィルタ１１０に対して傾いた状態で排気ダクト１００に配設されているとともに、排気ダクト１００の下方側であって、仕切り壁１０１よりダクト部１０２側には、感光ドラム７１（搬送ベルト３３）と定着器８０との間に向けて開口した吸気口１０３が設けられている。
【００５６】
３．本実施形態に係る画像形成装置１の特徴
電子写真方式の画像形成装置では、スキャナユニット６０にて感光ドラム７１の表面に静電潜像を形成する前に、帯電器７２を放電させて感光ドラム７１を帯電させるので、帯電器７２の周囲にはオゾンが発生し、帯電器７２の周囲を通過した空気には、オゾンが含まれている。
【００５７】
これに対して、本実施形態では、図１に示すように、帯電器７２の周囲を通過した空気は、オゾンフィルタ１１０及び現像剤フィルタ１１１を通過して排気口３Ａから筐体３外に排出され、感光ドラム７１（搬送ベルト３３）と定着器８０との間を通過した空気は、吸気口１０３をから排気ダクト１００内に流入し、オゾンフィルタ１１０を通過することなく、現像剤フィルタ１１１を通過して排気口３Ａから筐体３外に排出される。
【００５８】
このため、本実施形態では、帯電器７２の周囲を通過した空気は、オゾンフィルタ１１０及び現像剤フィルタ１１１を通過して排気口３Ａから筐体３外に排出されるので、帯電器７２の周囲を通過したオゾンを多く含む気流の通風抵抗が大きくなり、帯電器７２の周囲を通過した空気が排気口に至るまでの時間が長くなる。
【００５９】
したがって、オゾンフィルタ１１０によるオゾンの分解・吸着に加えて、時間経過によるオゾンの分解が進行するので、排気口３Ａから排出されるオゾンの量を低減することが可能となる。
【００６０】
また、定着器８０にて過熱される前においては、用紙に転写された現像剤像は用紙に定着していないので、振動等の衝撃により用紙に転写された現像剤が容易に剥離してしまい、剥離した現像剤が感光ドラム７１（搬送ベルト３３）と定着器８０との間を通過した空気中に浮遊してしまう。
【００６１】
これに対して、本実施形態では、感光ドラム７１（搬送ベルト３３）と定着器８０との間を通過した空気は、オゾンフィルタ１１０を迂回して現像剤フィルタ１１１を通過して排気口３Ａから筐体３外に排出されるので、現像剤を多く含む気流の通風抵抗が小さくなり、現像剤フィルタ１１１で捕捉できる現像剤量を増大させることができる。
【００６２】
以上に説明したように、本実施形態では、オゾンの排出量は小さくしつつ、捕捉可能な現像剤量の低下を抑制することができる。
また、本実施形態では、筐体３内をユニット側空間３Ｂと定着器側空間３Ｃとに仕切る仕切り壁１０１が設けられているので、帯電器７２の周囲を通過したオゾンを多く含む気流と、感光ドラム７１と定着器８０との間を通過した現像剤を多く含む気流とを確実に分離できるので、効果的にオゾンの排出量は小さくしつつ、捕捉可能な現像剤量の低下を抑制することができる。
【００６３】
また、ユニット側空間３Ｂは、搬送ベルト３３及び仕切り壁１０１によって、定着器側空間３Ｃの空間と仕切られているので、帯電器７２の周囲を通過したオゾンを多く含む気流と、感光ドラム７１と定着器８０との間を通過した現像剤を多く含む気流とを確実に分離でき、効果的にオゾンの排出量は小さくしつつ、捕捉可能な現像剤量の低下を抑制することができる。
【００６４】
なお、ユニット側空間３Ｂが完全に閉じた空間とすることは、現実には難しいので、「ユニット側空間３Ｂは、搬送ベルト３３及び仕切り壁１０１によって、定着器側空間３Ｃの空間と仕切られている」とは、ユニット側空間３Ｂと定着器側空間３Ｃとの間で空気の流れが発生し難い状態をいう。
【００６５】
また、本実施形態では、現像剤フィルタ１１１は、上方側に向かうほど、オゾンフィルタ１１０に近づくようにオゾンフィルタ１１０に対して相対的に傾いているので、感光ドラム７１と定着器８０との間を通過した現像剤を多く含む気流を、確実に現像剤フィルタ１１１に導入することができ、現像剤を確実に捕捉することができる。
【００６６】
つまり、排気ファン１２０は筐体３の上方側に配置されているのに対して、定着器８０は排気ファン１２０とり下方側に配置されているので、排気ファン１２０により誘起された気流は、概ね下から上に向けて流通する。
【００６７】
このとき、現像剤フィルタ１１１は、上方側に向かうほど、オゾンフィルタ１１０に近づくようにオゾンフィルタ１１０に対して相対的に傾いているので、吸気口１０３から現像剤フィルタ１１１に至る空気通路を大きくしながら、上昇してきた気流を現像剤フィルタ１１１に集合させるようにして現像剤フィルタ１１１に導くことができる。したがって、現像剤を多く含む気流を、確実に現像剤フィルタ１１１に導入することができ、現像剤を確実に捕捉することができる。
【００６８】
（その他の実施形態）
また、上述の実施形態では、ダイレクトタンデム式のレーザプリンタに本発明を適用したが、本発明の適用はこれに限定されるものではなく、モノクロ方式の電子写真方式の画像形成装置にも適用することができる。
【００６９】
また、上述の実施形態では、レーザ光を走査しながら感光ドラム７１を露光する露光装置を用いたが、本発明はこれに限定されるものではなく、例えば、多数個のＬＥＤを感光ドラム７１の軸方向と平行な方向に並べ、これらのＬＥＤの点滅制御を行うことにより感光ドラム７１を露光する露光装置を用いてもよい。
【００７０】
また、本発明は、特許請求の範囲に記載された発明の趣旨に合致するものであればよく、上述の実施形態に限定されるものではない。
【図面の簡単な説明】
【００７１】
【図１】本実施形態に係る画像形成装置１の要部を示す側断面図である。
【図２】上方側から筐体３内を見たときの排気ダクト１００及びドロワーユニット７０等の配置関係を示す図である。
【符号の説明】
【００７２】
１…画像形成装置、３…筐体、３Ａ…排気口、３Ｂ…ユニット側空間、
３Ｃ…定着器側空間、５…排紙トレイ、７…排出部、１０…画像形成ユニット、
２０…フィーダ部、２１…給紙トレイ、２２…給紙ローラ、３０…搬送ユニット、
３１…駆動ローラ、３２…従動ローラ、３３…搬送ベルト、６０…スキャナユニット、
７０…ドロワーユニット、７０Ｃ、７０Ｋ、７０Ｙ、７０Ｍ…現像カートリッジ、
７１…感光ドラム（感光体）、７２…帯電器、７３…転写ローラ、７４…現像剤収容部、
７４Ａ…現像剤収容室、７４Ｂ…現像剤供給ローラ、７４Ｃ…現像ローラ、
７４Ｄ…層厚規制ブレード、７５…スライダケーシング、８０…定着器、
８１…加熱ローラ、９１…排出ローラ、１００…排気ダクト、１０１…仕切り壁、
１０２…ダクト部、１０３…吸気口、１１０…オゾンフィルタ、
１１１…現像剤フィルタ、１２０…排気ファン。
【図１】
0004983551.tif 000002
【図２】
0004983551.tif 000003